【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
光制御された環境において内視鏡光源への電力を制御する方法であって、
電気通信信号を指定の間隔にて撮像デバイス制御装置から光源制御装置に送ることと、
前記電気通信信号に基づいて所定のサンプル期間にわたって光源をオフにすることと、
前記所定のサンプル期間中に取得される単一のフレームのためのデータを画像センサから収集することであって、前記データは、前記画像センサによって受光された周囲光の量に関する、ことと、
前記所定のサンプル期間中に取得される前記単一のフレームを指定の所定の閾値に照らして分析することと、
前記画像センサから受信された前記データに基づいて前記光源の動作を制御することと、を含む、方法。
【請求項２】
前記画像センサから受信された前記データが前記所定の閾値を下回ると測定された場合、前記光源は、使用中であり、かつ、光不足の環境にあると認識される、請求項１に記載の方法。
【請求項３】
前記画像センサから受信された前記データが前記所定の閾値を下回ると測定されたときに、前記光源は、動作可能な状態のままであって、それによって光を前記光不足の環境に供給する、請求項２に記載の方法。
【請求項４】
前記画像センサから受信された前記データが前記所定の閾値を上回ると測定された場合、前記光源は、使用中ではなく、かつ、光不足の環境の外側にあると認識される、請求項１に記載の方法。
【請求項５】
前記光源は、オフにされ、それによって、前記光源への電力を制御する安全機構部を提供する、請求項４に記載の方法。
【請求項６】
前記オフにされた状態は、前記光源の完全な電源切断である、請求項５に記載の方法。
【請求項７】
前記オフにされた状態は、前記光源への電力の低減である、請求項５に記載の方法。
【請求項８】
前記光源は、オンにされ、前記光強度は、安全なレベルに低減される、請求項４に記載の方法。
【請求項９】
前記方法は、第２の単一のフレームに関して前記画像センサから受信されたデータが前記所定の閾値を上回るか又は下回るかを判定するために第２の間隔にてサンプリングすることを更に含む、請求項１に記載の方法。
【請求項１０】
前記内視鏡光源システムが立ち上がるときのデフォルトモードは、前記光源がオフにされるためのものである、請求項１に記載の方法。
【請求項１１】
前記撮像デバイス制御装置は、前記光源制御装置と通信して、前記光源がオフであることがわかる、請求項１０に記載の方法。
【請求項１２】
指定の間隔にて、前記撮像デバイスは、前記単一のフレームを捕捉して、前記所定の閾値に照らして前記光レベルを分析する、請求項１１に記載の方法。
【請求項１３】
前記閾値は、前記画像センサによって受光された全ての光の量である、請求項１２に記載の方法。
【請求項１４】
前記閾値は、画素当たりに受光された光の量の平均である、請求項１２に記載の方法。
【請求項１５】
前記光源が使用中ではないと判定される場合、前記撮像デバイス制御装置は、オフのままであるために前記光源制御装置と通信する、請求項１０に記載の方法。
【請求項１６】
前記光源が使用中であると判定される場合、前記撮像デバイス制御装置は、オンになるために前記光源制御装置と通信する、請求項１０に記載の方法。
【請求項１７】
前記光源がオンにされると、新しいパターンが始まり、所定の指定の間隔にて前記光源が所定のサンプル期間にわたってオフにされ、前記撮像デバイスは、単一のフレームを捕捉して、前記所定の閾値に照らして前記光レベルを分析する、請求項１６に記載の方法。
【請求項１８】
前記画像センサから受信された前記データが前記所定の閾値を下回る場合、前記撮像デバイスは、前記光源が光不足の環境において使用中であると認識し、前記撮像デバイス制御装置は、オンになるために前記光源制御装置と通信する、請求項１７に記載の方法。
【請求項１９】
前記画像センサから受信された前記データが前記所定の閾値を上回る場合、前記画像デバイスは、前記光源が使用中ではなく、かつ、前記光不足の環境の外側にあると認識して、前記撮像デバイス制御装置は、オフのままであるために前記光源制御装置と通信する、請求項１７に記載の方法。
【請求項２０】
前記光源は、パルス光システムである、請求項１に記載の方法。
【請求項２１】
前記パルス光システム内の前記光は、レーザ光から取得される、請求項２０に記載の方法。
【請求項２２】
前記パルス光システム内の前記光は、１つ又は２つ以上の発光ダイオードから取得される、請求項２０に記載の方法。
【請求項２３】
前記パルス光システム内の前記光は、様々な特定の色を含む、請求項２０に記載の方法。
【請求項２４】
前記画像センサから受信された前記データが前記所定の閾値を上回ると測定された場合、前記光源は、使用中ではなく、かつ、光不足の環境の外側にあると認識される、請求項２３に記載の方法。
【請求項２５】
光出力は、低輝度レベルにてパルス白色光に変えられる、請求項２４に記載の方法。
【請求項２６】
前記光源は、一定光システムである、請求項１に記載の方法。
【請求項２７】
データがサンプリングされる前記間隔の頻度は、使用中の状態中において、使用中ではない状態中とは異なる、請求項２に記載の方法。
【請求項２８】
前記内視鏡光源システムが立ち上がるときのデフォルトモードは、前記光源がオンにされるためのものである、請求項１に記載の方法。
【請求項２９】
所定の指定の間隔にて、前記撮像デバイス制御装置は、所定のサンプル期間にわたって前記光源をオフにするために前記光源制御装置と通信し、前記撮像デバイスは、単一のフレームを捕捉して、前記所定の閾値に照らして前記光レベルを分析する、請求項２８に記載の方法。
【請求項３０】
前記画像センサから受信された前記データが前記所定の閾値を下回る場合、前記撮像デバイスは、前記光源が光不足の環境において使用中であると認識し、前記撮像デバイス制御装置は、デフォルトオンモードに戻るために前記光源制御装置と通信する、請求項２９に記載の方法。
【請求項３１】
前記画像センサから受信された前記データが前記所定の閾値を上回る場合、前記画像デバイスは、前記光源が使用中ではなく、かつ、前記光不足の環境の外側にあると認識して、前記撮像デバイス制御装置は、オフのままであるために前記光源制御装置と通信する、請求項２９に記載の方法。
【請求項３２】
前記システムと通信する前記制御装置は、ユーザに前記システムの現状に関する情報を提供する、請求項１に記載の方法。
【請求項３３】
前記情報は、視覚的に提供される、請求項３２に記載の方法。
【請求項３４】
前記情報は、聞き取れるように提供される、請求項３２に記載の方法。
【請求項３５】
前記システムと通信する前記制御装置は、ユーザに前記システムの前記状態の変化に関する情報を提供する、請求項１に記載の方法。
【請求項３６】
前記情報は、視覚的に提供される、請求項３５に記載の方法。
【請求項３７】
前記情報は、聞き取れるように提供される、請求項３５に記載の方法。
【請求項３８】
光制御された環境において内視鏡光源への電力を制御するシステムであって、
撮像デバイス制御装置を含む撮像デバイスと、
光源制御装置を含む光源と、
画像センサと、を備え、
前記撮像デバイス制御装置は、前記システムに前記以下のプロセス、即ち、
電気通信信号を指定の間隔にて光源制御装置に送ることと、
前記電気通信信号に基づいて所定のサンプル期間にわたって前記光源をオフにすることと、
前記所定のサンプル期間中に取得される単一のフレームのためのデータを前記画像センサから収集することであって、前記データは、前記画像センサによって受光された周囲光の量に関する、ことと、
前記所定のサンプル期間中に取得される前記単一のフレームを指定の所定の閾値に照らして分析することと、
前記画像センサから受信された前記データに基づいて前記光源の動作を制御することと、を実行させる、システム。
【請求項３９】
前記画像センサから受信された前記データが前記所定の閾値を下回ると測定された場合、前記光源は、前記撮像デバイス制御装置によって使用中であり、かつ、光不足の環境にあると認識される、請求項３８に記載のシステム。
【請求項４０】
前記画像センサから受信された前記データが前記所定の閾値を下回ると測定されたときに、前記光源は、動作可能な状態のままであって、それによって光を前記光不足の環境に提供する、請求項３９に記載のシステム。
【請求項４１】
前記画像センサから受信された前記データが前記所定の閾値を上回ると測定された場合、前記光源は、前記撮像デバイス制御装置によって使用中ではなく、かつ、光不足の環境の外側にあると認識される、請求項３８に記載のシステム。
【請求項４２】
前記光源は、オフにされ、それによって、前記光源への電力を制御する安全機構部を提供する、請求項４１に記載のシステム。
【請求項４３】
前記内視鏡光源システムが立ち上がるときのデフォルトモードは、前記光源がオンにされるためのものである、請求項３８に記載のシステム。
【請求項４４】
所定の指定の間隔にて、前記撮像デバイス制御装置は、所定のサンプル期間にわたって前記光源をオフにするために前記光源制御装置と通信し、前記撮像デバイスは、単一のフレームを捕捉して、前記所定の閾値に照らして前記光レベルを分析する、請求項４３に記載のシステム。
【請求項４５】
前記画像センサから受信された前記データが前記所定の閾値を下回る場合、前記撮像デバイスは、前記光源が光不足の環境において使用中であると認識し、前記撮像デバイス制御装置は、デフォルトオンモードに戻るために前記光源制御装置と通信する、請求項４４に記載のシステム。
【請求項４６】
前記画像センサから受信された前記データが前記所定の閾値を上回る場合、前記画像デバイスは、前記光源が使用中ではなく、かつ、前記光不足の環境の外側にあると認識して、前記撮像デバイス制御装置は、オフのままであるために前記光源制御装置と通信する、請求項４４に記載のシステム。
【請求項４７】
前記内視鏡光源システムが立ち上がるときのデフォルトモードは、前記光源がオフにされるためのものである、請求項３８に記載のシステム。
【請求項４８】
前記撮像デバイス制御装置は、前記光源制御装置と通信して、前記光源がオフであることがわかる、請求項４７に記載のシステム。
【請求項４９】
指定の間隔にて、前記撮像デバイスは、前記単一のフレームを捕捉して、前記所定の閾値に照らして前記光レベルを分析する、請求項４８に記載のシステム。
【請求項５０】
前記閾値は、前記画像センサによって受光された全ての光の量である、請求項４９に記載のシステム。
【請求項５１】
前記閾値は、画素当たりに受光された光の量の平均である、請求項４９に記載のシステム。
【請求項５２】
前記光源が使用中ではないと判定される場合、前記撮像デバイス制御装置は、オフのままであるために前記光源制御装置と通信する、請求項４７に記載のシステム。
【請求項５３】
前記光源が使用中であると判定される場合、前記撮像デバイス制御装置は、オンになるために前記光源制御装置と通信する、請求項４７に記載のシステム。
【請求項５４】
前記光源がオンにされると、新しいパターンが始まり、所定の指定の間隔にて前記光源が所定のサンプル期間にわたってオフにされ、前記撮像デバイスは、単一のフレームを捕捉して、前記所定の閾値に照らして前記光レベルを分析する、請求項５３に記載のシステム。
【請求項５５】
前記画像センサから受信された前記データが前記所定の閾値を下回る場合、前記撮像デバイスは、前記光源が光不足の環境において使用中であると認識し、前記撮像デバイス制御装置は、オンになるために前記光源制御装置と通信する、請求項５４に記載のシステム。
【請求項５６】
前記画像センサから受信された前記データが前記所定の閾値を上回る場合、前記画像デバイスは、前記光源が使用中ではなく、かつ、前記光不足の環境の外側にあると認識して、前記撮像デバイス制御装置は、オフのままであるために前記光源制御装置と通信する、請求項５４に記載のシステム。
【請求項５７】
前記システムと通信する前記制御装置は、ユーザに前記システムの現状に関する情報を提供する、請求項３８に記載のシステム。
【請求項５８】
前記情報は、視覚的に提供される、請求項５７に記載のシステム。
【請求項５９】
前記情報は、聞き取れるように提供される、請求項５７に記載のシステム。
【請求項６０】
前記システムと通信する前記制御装置は、ユーザに前記システムの前記状態の変化に関する情報を提供する、請求項３８に記載のシステム。
【請求項６１】
前記情報は、視覚的に提供される、請求項６０に記載のシステム。
【請求項６２】
前記情報は、聞き取れるように提供される、請求項６０に記載のシステム。